(57)【要約】      （修正有）【課題】属性情報を有するボビンと外部の通信装置とが、安定して通信することが可能なボビンを提供する。【解決手段】シート状材料Ｓが巻き取られるボビンであって、少なくとも一部が中空の筒状に形成されたボビン本体１と、属性情報を記憶し、外部の通信装置と通信可能なＲＦＩＤ２と、ボビン本体１の内部または軸方向の一端部の開口に、ＲＦＩＤ２をボビン本体１の外形から径方向にはみ出さないように固定する接続部材３と、を備えているボビン。【選択図】図１
2010036399.tif 000002
【特許請求の範囲】
【請求項１】
シート状材料が巻き取られるボビンであって、
少なくとも一部が中空の筒状に形成されたボビン本体と、
属性情報を記憶し、外部の通信装置と通信可能な情報通信部材と、
前記ボビン本体の内部または軸方向の一端部の開口において、前記情報通信部材を、前記ボビン本体の外形から径方向にはみ出さないように固定する固定手段と、
を備えているボビン。
【請求項２】
前記固定手段は、前記ボビン本体の内壁面に取り付けられた接続部材を備えており、
前記情報通信部材は、前記接続部材に固定されている、請求項１に記載のボビン。
【請求項３】
前記接続部材は、前記ボビン本体の内壁面に一体的に形成されている、請求項２に記載のボビン。
【請求項４】
前記接続部材は、前記ボビン本体の内壁面に圧入されている、請求項２に記載のボビン。
【請求項５】
前記固定手段は、
前記情報通信部材を固定するとともに、前記ボビン本体の軸方向の一端部の開口を塞ぐように固定される接続部材を備えている、請求項１に記載のボビン。
【請求項６】
前記ボビン本体と、固定手段とともに取り付けられた前記情報通信部材との、軸方向の合計長さが、フィルム状材料の軸方向長さ以下である、請求項５に記載のボビン。
【発明の詳細な説明】
【技術分野】
【０００１】
本発明は、インクリボンなどのシート状材料が巻き取られるボビンに関する。
【背景技術】
【０００２】
近年、インクリボンを巻き取ってロール状に保持するためのボビンには、種々の機能が備わっており、その一つとして、インクリボンの属性情報を有しているものがある。例えば、特許文献１では、ボビンの端部にフランジを形成し、このフランジにＩＣチップ及びアンテナを取り付けている。このＩＣチップには、インクリボンの種別、インクリボンの残量などが記憶されており、アンテナによって外部の通信装置と通信を行っている。これにより、インクリボンの残量を逐次伝達することができる。
【特許文献１】特開２０００−３５５１５２号公報
【発明の開示】
【発明が解決しようとする課題】
【０００３】
ところで、上記ボビンでは、ＩＣチップ及びアンテナを取り付けるためのフランジが設けられているが、搬送中には、このフランジが破損しないように、緩衝材やスポンジなどの包装材でフランジを覆っている。そのため、これら包装材のためにボビンのコストが高くなったり、不要なゴミが発生するという問題があった。また、次のような問題もある。インクリボンを巻き取ったボビンを搬送する際、振動、落下による衝撃がインクリボンにかかり、フランジが破損するおそれがあった。特に、近年は、インクリボンのコスト低減の要請から１巻当たりの巻数を多く、これによってインクリボンの重量がさらに増し、フランジが破損しやすくなっていた。
【０００４】
そこで、本発明は、上記問題を解決するためになされたものであり、フランジ用の包装材をなくし、またフランジに起因する破損を防止することが可能なボビンを提供することを目的とする。
【課題を解決するための手段】
【０００５】
本発明は、シート状材料が巻き取られるボビンであって、上記問題を解決するためになされたものであり、少なくとも一部が中空の筒状に形成されたボビン本体と、属性情報を記憶し、外部の通信装置と通信可能な情報通信部材と、  前記ボビン本体の内部または軸方向の一端部の開口において、前記情報部材を、前記ボビン本体の外形から径方向にはみ出さないように固定する固定手段と、を備えている。
【０００６】
この構成によれば、ボビン本体の内部または軸方向の一端部の開口において、情報通信部材を、ボビン本体の外形から径方向にはみ出さないように固定する固定手段を備えている。そのため、従来例のように、情報通信部材を取り付けるためのフランジが不要となる。そのため、フランジとともに用いられた緩衝用の包装材が不要になり、コストの低減、及びゴミの発生を防止することができる。さらに、固定手段により、情報通信部材は、ボビン本体の外形からはみ出さないように固定されるため、シート状材料はボビン本体以外の部分に接触することはない。そのため、従来のようにフランジにシート状材料の重量が作用して破損するといった問題を解決することができる。
【０００７】
上記固定手段は、種々の態様が可能である。例えば、固定手段が、ボビン本体の内壁面に取り付けられた接続部材を備え、情報通信部材がこの接続部材に固定されるように構成することができる。このとき、接続部材もボビン本体の外形から径方向にはみ出さないような形態にすることができる。接続部材は、ボビン本体の内壁面に一体的に形成することができる。例えば、接続部材を、ボビン本体の内壁面から径方向内方へ延びるフランジ状に形成することができる。或いは、接続部材を別個に形成し、ボビン本体の内壁面に圧入することもできる。この例としては、接続部材を、ボビン本体の内径よりもやや大きい外径を有するように形成し、接続部材の外周面をボビン本体の内壁面に圧入すればよい。
【０００８】
以上の例では、固定手段をボビン本体の内部に収容しているが、このようにすると、固定手段及び情報通信部材がボビン本体の外部へ突出しないため、ボビンが取り扱いやすくなる。例えば、ボビンにシート材を巻いたロール状態では、梱包時に邪魔になる突出部分がないため、梱包の自由度が大きくなる。例えば、巻き取られてロールとなったシート状材料の軸方向端面と、ボビンの軸方向端面とを同一面にすることができる。その結果、軸方向の端面を下面としたロールの設置が可能となり、ボビンの破損も防止することができる。
【０００９】
また、接続部材は、情報通信部材を固定するとともに、ボビン本体の軸方向の一端部の開口を塞ぐように固定することもできる。この構成によっても、従来例のようにボビン本体から径方向に突出するフランジが不要となるため、ボビンの破損を防止することができる。このとき、ボビン本体と、固定手段とともに取り付けられた情報通信部材との、軸方向の合計長さを、フィルム状材料の軸方向長さ以下とすることができる。これにより、巻き取られたシート状材料の軸方向端面と、ボビンの軸方向端面とを同一面にすることができる。
【００１０】
なお、本発明でいう情報通信部材は、アンテナ付きＩＣチップ、ＲＦＩＤなどの電気的にシート状材料の属性を記憶して外部と通信するものであれば、特には限定されない。また、属性情報とは、シート状材料、ボビンの種類、製造日、シート状材料の巻き取り長さ、量など、種々の情報を指す。また、シート状材料とは、インクリボンなどであるが、これ以外にも属性情報を記録する必要のあるシート状材料全般に適用可能である。
【発明の効果】
【００１１】
本発明のボビンによれば、属性情報が記憶されたボビンと、外部の通信装置とが、安定して通信することが可能となる。
【発明を実施するための最良の形態】
【００１２】
以下、本発明の複数の実施形態に係るボビンについて図面を参照しつつ説明する。図１〜図４は、それぞれ第１〜第４実施形態に係るボビンの断面図である。
【００１３】
各実施形態に係るボビンは、インクリボンが巻かれる芯材として用いるものであり、特に、その内部にインクリボンの属性を記憶したＲＦＩＤ（Radio Frequency Identification）を収容することで、インクリボンの管理を行うものである。図１に示すように、第１実施形態に係るボビンは、弾性変形可能なプラスチック樹脂などで形成されており、中空の筒状のボビン本体１と、このボビン本体１の内部に取り付けられたＲＦＩＤ２とを備えている。そして、ボビンの外周には、インクリボンＳが巻かれている。ボビン本体１には、その内部空間を塞ぐ円形の接続部材３がボビン本体と一体的に形成されている。そして、この接続部材３と当接するようにＲＦＩＤ２が配置され、さらにＲＦＩＤ２を覆うように蓋部材４が配置されている。蓋部材４は、ボビン本体１の内径よりやや大きい外径を有する円板状に形成され、ボビン本体１の内壁面に圧入されている。これにより、ＲＦＩＤ２は接続部材３と蓋部材４との間に挟まれるように固定される。このとき、ＲＦＩＤ２を接着剤などで接続部材３に固定することもできる。また、この実施形態では、ボビン本体１の軸方向の長さと、巻かれてロール状になったインクリボンの軸方向の長さＬ１とが、一致している。
【００１４】
次に、第２実施形態に係るボビンについて説明する。なお、この実施形態及び次の第３実施形態に係る図面では、インクリボンを省略して記載しているが、第１実施形態と同様の形態で巻かれる。図２（ａ）に示すように、この実施形態では、第１実施形態と異なり、蓋部材を用いずに、ＲＦＩＤ２を直接、接続部材３に固定している。このとき、上記のように接着剤や、シールなどでＲＦＩＤ２を接続部材３に固定することができる。第１及び第２実施形態においては、接続部材３がボビン本体１の内部空間を径方向に完全に塞ぐように配置されているが、一部を塞ぐようにしてもよい。すなわち、図２（ｂ）に示すように、ボビン本体１の内壁面から径方向内方へ延びるフランジによって接続部材３を構成することもできる。
【００１５】
続いて、第３実施形態に係るボビンについて説明する。図３（ａ）に示すように、この実施形態では、接続部材３がボビン本体１と一体的に形成されているのではなく、ボビン本体１とは別体とされている。接続部材３は、ボビン本体１の内径よりやや大きい外径を有する円板状に形成され、ボビン本体１の内壁面に圧入されている。このような圧入に加え、接着剤などで接続部材３とボビン本体１との固定を補強することもできる。ＲＦＩＤ２は、この接続部材３のいずれかの面に接着剤などで固定される。或いは、図３（ｂ）に示すように、接続部材３の内部にＲＦＩＤ２を収納することもできる。また、圧入に加え、接着剤などで接続部材３とボビン本体１との固定を補強することもできる。
【００１６】
最後に、第４実施形態に係るボビンについて説明する。図４（ａ）に示すように、この実施形態では、ボビン本体１における軸方向端部の開口に接続部材３が固定されている。このとき、接続部材３が開口を完全に塞ぐように配置してもよいし、或いは、一部を塞ぐように配置することもできる。この実施形態では、接続部材３がボビン本体１からやや突出した状態で固定されることになる。接続部材３は、接着剤のほか、種々の固定方法により固定される。例えば、ボビン本体１の開口壁面に切欠部を形成するとともに、接続部材３に突起を形成し、切欠部に突起を嵌め込むという方法がある。また、ＲＦＩＤ２は、接続部材３のいずれかの面に接着剤などで固定してもよいし、図４（ｂ）に示すように、接続部材３の内部に収納することもできる。なお、図４に示す例では、ともに、ボビン本体１の軸方向の長さＬ２及び接続部材３の軸方向の長さ（または接続部材３とＲＦＩＤ２とを合わせた長さ（図４(a)））Ｌ３の合計と、ロール状になったインクリボンＳの軸方向の長さＬ１とが同一になっている。
【００１７】
以上のように、上記各実施形態によれば、ボビン本体１の内部または軸方向の一端部の開口において、ＲＦＩＤ２を、ボビン本体１の外形から径方向にはみ出さないように固定している。そのため、従来例のように、ＲＦＩＤを取り付けるためのフランジが不要となる。そのため、フランジとともに用いられた緩衝用の包装材が不要になり、コストの低減、及びゴミの発生を防止することができる。
【００１８】
また、ＲＦＩＤ２及び接続部材３がボビン本体１の内部に収容されて外部へ突出しないため、ボビンが取り扱いやすくなる。すなわち、梱包時に邪魔になる突出部分がないため、梱包の自由度を大きくすることができる。
【００１９】
以上、本発明の各実施形態について説明したが、本発明はこれに限定されるものではなく、その趣旨を逸脱しない限りにおいて、種々の変更が可能である。例えば、ＲＦＩＤ２をボビン本体１に固定する固定手段は、上記接続部材３に限られず、ボビン本体１の内部または軸方向の一端部の開口に固定できるものであれば、特には限定されない。また、ＲＦＩＤ２の固定方法は、種々の方法があり、接着剤のほか、突起にＲＦＩＤ２を引っかけるなど公知の方法を利用することができる。また、ボビン本体１は、一部が中実であってもよい。
【００２０】
第１〜第３実施形態では、ボビン本体１の長さとインクリボンＳの軸方向長さを一致させているが、ボビン本体１の長さを短くすることもできる。第４実施形態においても同様であり、インクリボンＳの軸方向長さを長くすることもできる。
【図面の簡単な説明】
【００２１】
【図１】本発明の第１実施形態に係るボビンの断面図である。
【図２】本発明の第２実施形態に係るボビンの断面図である。
【図３】本発明の第３実施形態に係るボビンの断面図である。
【図４】本発明の第４実施形態に係るボビンの断面図である。
【符号の説明】
【００２２】
１  ボビン本体
２  ＲＦＩＤ（情報通信部材）
３  接続部材
Ｓ  インクリボン（シート状材料）
【図１】
2010036399.tif 000003
【図２】
2010036399.tif 000004
【図３】
2010036399.tif 000005
【図４】
2010036399.tif 000006